(57)【特許請求の範囲】
【請求項１】
籾殻を含む排風中から籾殻を分離する選別網を内蔵すると共に、該選別網の下方には籾殻回収用の開口部を形成してなる筒状胴部と、該筒状胴部開口部に、下側に向かって分岐し、拡開状に設けた四本の吐出用筒部とからなる装置本体を、複数の骨格材部を分解可能に組合せて形成した下部脚柱を有する自立スタンド体の、四本の吐出用筒部に干渉しない配置とした上部水平杆に着脱自在に取り付ける一方、装置本体各吐出用筒部の個々には、当該四本の吐出用筒部の相互間、略中央に相当する自立スタンド体上部水平杆適所に、当該吐出用筒部から放出される籾殻用の回収袋開口部に形成された一方の吊下用環部を掛止可能とする固定アームの二本ずつを筒状胴部に略直交状となるよう外側に向けて突設すると共に、同他方側に相当する自立スタンド体上部水平杆の両端側適所の夫々に、当該回収袋開口部他方の吊下用環部を掛止可能な、全体形状略Ｌ型の拡開アームを二本ずつが一組となるよう配置し、略水平面上で略垂直軸心回りに回動自在に軸着した上、隣合う拡開アームの基端側中途部同士を弾性的に牽引し合うようコイルスプリングで連結すると共に、当該コイルスプリングが延伸される際の形状を案内、支持すると共に、連結された拡開アーム間に配置され、該拡開アームの拡開角度を所定位置で制限する樋状または筒状の湾曲状案内枠部を一体的に固着した弾性付勢機構が組み込まれてなるものとしたことを特徴とする籾殻回収装置。
【請求項２】
自立スタンド体上部水平杆の一端側および他端側夫々の拡開掛着部または拡開アームを支持する部位と、固定掛着部または固定アームを固着した部位との間が、その間の距離調節を可能とする伸縮自在構造に形成されてなる、請求項１記載の籾殻回収装置。
【請求項３】
自立スタンド体は、その下部脚柱が、分解組立て可能な複数の骨格材部を組み合わせた構造であって、その何れかの接続部が、自立スタンド体上部水平杆および筒状胴部の支持高さ位置を適宜変更可能とするようにした高さ調節機構を有するものに形成されてなる、請求項１または２何れか記載の籾殻回収装置。
【請求項４】
筒状胴部が、その周壁面に透明パネルの嵌め込まれた覗き窓を有する略鉛直短筒状に形成されると共に、その下方に配された各吐出用筒部の夫々には、筒部形状の略全幅に渡る周壁面に形成されたスリットにシャッター板を出入れ自在に挿入して該吐出用筒部を閉鎖、開放調節可能とするようにしたシャッター機構が組み込まれてなる、請求項１ないし３何れか記載の籾殻回収装置。
【発明の詳細な説明】
【０００１】
【発明の目的】
この発明は、管路を通じて一定方向に排出される塵埃を含む排風内から、塵埃を回収する技術に関するものであって、特に、籾摺り機から排風諸共排出されてくる籾殻を効率的に回収することができるようにした新規な構造からなる籾殻回収装置を提供しようとするものである。
【０００２】
【従来の技術】
我が国農業の中心的作物といえば、何といっても「米」を置いて外には見当たらないが、この米の生産、即ち稲作技術は、品種の改良、新農薬や新しい農業機械の開発、農地の整備等あらゆる角度から研究が進み、米そのものは略安定した供給がなされるようになった。しかし、最近では、単に米の収穫だけではなく、稲作について廻る籾殻や藁を資源として活用する技術的思想（バイオマス）も注目を浴び始め、その回収技術や用途分野等に関して様々な提案がなされるようになってきている。
【０００３】
本願出願人においても、既に「籾摺り機の籾殻排出口に接続する籾殻回収用筒体」として特公平１−１７７４２号公報に記載された発明をはじめとする各種の籾殻回収に関する技術の開発、実用化に成功し、更に、より秀れたものへの開発、研究を推し進め、これまでの一連の流れの中で網状の籾殻回収専用の袋を使用せず、通気性のないビニール袋や紙袋であっても使用することができ、籾摺り機から放出される排風を伴う籾殻を、効率的に排風から分離、回収することができるようにしたもの等の実用化にも成功している。
【０００４】
しかし、これら既に提案済みのものにおいて、回収した籾殻を収容する籾殻回収袋の吊下、保持構造は弛まないよう強く張って装着すると、開口部を強く引き締めた状態となり、回収袋が本来収容可能な籾殻量に達する前に、袋の交換が必要となってしまい、その対策として満杯状態を予測して袋の開口部を前もって広げておくと、今度は袋が弛んでしまい、満杯になる前に籾殻が溢れ出してしまう虞れがあるといった問題を生じてしまうため、従前までは、満杯になる前に袋を交換しなければならず、籾殻の量から導き出される袋の枚数を遥かに越える枚数の袋を必要として経費を増大させることに繋がる上、頻繁に袋の交換を要して作業効率を悪化させてしまうといった欠点もあり、また、サイズの統一された回収袋以外は使用できないという不都合もあり、それらの問題に対処でき、袋を満杯にするまで確実に袋を吊下、保持可能とするような装置の実現はできないものかとの判断から、逸速くその開発、研究に着手し、長期に渡る試行錯誤と幾多の試作、実験とを繰り返してきた結果、今回、遂に新規な構造からなる籾殻回収装置を実現化することに成功したものであり、以下では、図面に示すこの発明を代表する実施例と共に、その構成を詳述することとする。
【０００５】
【発明の構成】
図面に示すこの発明を代表する実施例からも明確に理解されるように、この発明の籾殻回収装置は、基本的に次のような構成から成り立っている。
即ち、籾殻を含む排風中から籾殻を分離する選別網を内蔵すると共に、該選別網の下方には籾殻回収用の開口部を形成してなる筒状胴部と、該筒状胴部開口部に、下側に向かって分岐し、拡開状に設けた四本の吐出用筒部とからなる装置本体を、複数の骨格材部を分解可能に組合せて形成した下部脚柱を有する自立スタンド体の、四本の吐出用筒部に干渉しない配置とした上部水平杆に着脱自在に取り付ける一方、装置本体各吐出用筒部の個々には、当該四本の吐出用筒部の相互間、略中央に相当する自立スタンド体上部水平杆適所には、当該吐出用筒部から放出される籾殻用の回収袋開口部に形成された一方の吊下用環部を掛止可能とする固定アームの二本ずつを筒状胴部に略直交状となるよう外側に向けて突設すると共に、同他方側に相当する自立スタンド体上部水平杆の両端側適所の夫々には、当該回収袋開口部他方の吊下用環部を掛止可能な、全体形状略Ｌ型の拡開アームを二本ずつが一組となるよう配置し、略水平面上で略垂直軸心回りに回動自在に軸着した上、隣合う拡開アームの基端側中途部同士を弾性的に牽引し合うようコイルスプリングで連結すると共に、当該コイルスプリングが延伸される際の形状を案内、支持すると共に、連結された拡開アーム間に配置され、該拡開アームの拡開角度を所定位置で制限する樋状または筒状の湾曲状案内枠部を一体的に固着した弾性付勢機構が組み込まれてなる構成とした籾殻回収装置であるとすることができる。
【０００６】
装置本体は、洩れ出すことなく、籾殻を含む排風を所望する一定方向に導くと共に、その送風路の中途部で通過する排風中から籾殻を自動的に分離してしまう機能を果たすものであって、中途部に下方開口部を形成した筒状胴部と、該筒状胴部開口部に分岐、拡開状に設けた複数本の吐出用筒部とを設け、許容範囲内の排風圧力に保ちながら、排風圧力が異常に高まることのないよう送風、排気可能な構造としなければならず、筒状胴部に籾殻を受け止め、排風のみが通過できる目の粗さをもつ選別網を内蔵したものとすることが可能であり、また、下向き翼型の複数枚のルーバーを内蔵して、籾殻を下向きに落とす構造とすることができる外、筒状胴部中途部の管路径を拡大した上、Ｌ，ＺまたはＵ型に折曲して、籾殻が自重で落下してしまう構造とすることもできる。
【０００７】
筒状胴部は、一定方向に排風を導く機能を果たすものであり、内気圧や外気圧の変化を受けて不用意に変形してしまうことのない充分な剛性ある素材から構成すべきであって、排風が速やかに送出される直管形状に形成し、排風中から分離された籾殻が下方開口部から滞りなく送出されるよう、好適な位置に下方開口部が形成されたものとするのが望ましく、例えば、亜鉛鍍金鋼板や錫鍍金鋼板等の板金、または硬質合成樹脂等を所定長の筒状に成形し、適所下部に平面形状円形状、四角形状またはその他の多角形状に開口された下方開口部を形成したものとすることができる。
【０００８】
選別網は、筒状胴部内を通過する排風中から、排風圧力を異常に上昇させることなく籾殻を選別する機能を果たすものであって、選別された籾殻が下方開口部を通じて、筒状胴部下方外側に落下、放出されるよう形成すべきであり、網目の粗さや、強度を充分に考慮した構造としなければならず、筒状胴部内周壁面に籾殻が通過するような隙間を生じないよう、確りと装着すべきであって、掃除やメンテナンスが容易に行える用、筒状胴部に対して脱着可能な構造とするのが望ましく、特別な工具を必要とせず、日常工具を使用するか素手で簡便に脱着できるバックルや蝶捻子等を用いた連結構造とするとよい。
【０００９】
下方開口部は、排風中から選別された籾殻を、筒状胴部内から外側に落下、送出可能とする機能を果たすものであって、排風中から分離された籾殻が停滞なく落下する程度の開口形状および寸法とし、開口部周辺に脱着用の複数の螺子孔を形成したり、略鉛直状の短筒形に形成して、複数の吐出用筒部を下側に向けて分岐する状態に取着できる構造とすることが可能であり、また、略鉛直短筒状に形成し、その周壁面に透明パネルを嵌め込んだ構造とすることにより、内部を通過する籾殻の状態を外側から確認できる覗き窓を形成することが可能である。
【００１０】
吐出用筒部は、下方開口部を通じて落下、放出される籾殻を、拡開状に分岐させ、複数の回収袋の各々の開口部に向けて案内する機能を果たすものであり、自立スタンド体が支持可能な回収袋の数に対応する個数を装着すべきであり、下方開口部の下側部に形成された複数に分岐された管路状の装着部夫々に、個別に装着するよう構成することが可能である外、個々の基端部を互いに接合すれば下方開口部の開口形状に一致して隙間なく密閉状の接続が可能な構造とすることができる。また、各吐出用筒部の夫々に、筒部形状の略全幅に渡る周壁面に形成されたスリットに、シャッター板を挿入して、該吐出用筒部を閉鎖し、抜き出して吐出用筒部を開放することを可能とするシャッター機構を設けた構成とすることが可能である。
【００１１】
自立スタンド体は、筒状胴部を所定の高さに略水平状に支持する機能を果たすものであり、筒状胴部に対して脱着可能な構造とし、筒状胴部および籾殻が詰め込まれた複数の回収袋を支持するに充分な強度をもつ構造としなければならず、筒状胴部下方開口部付近か、吐出用筒部の何れかに脱着できる構造とすべきであって、複数の吐出用筒部に干渉しない配置となる上部構造と、複数の骨格材部を分解可能に組み合わせてなる下部構造とからなるようにした構成のものとするのが望ましい。
【００１２】
上部水平杆は、自立スタンド体の上側部を形成するものであり、筒状胴部の下側部に連結すると共に、各吐出用筒部が回収袋開口部に挿入される状態に、各回収袋を保持する機能を果たすものであって、装着する回収袋の数に相当する固定掛着部または固定アーム、および、拡開掛着部または拡開アームの夫々を適宜位置に設けたものとしなければならず、筒状胴部に略平行状または略直交状に配置された水平杆状に形成できる外、板状または骨格枠状であって筒状胴部に略平行状または略直交状且つ略水平に配置されたものとすることが可能であり、一端側および他端側夫々の拡開掛着部または拡開アームを支持する部位と、固定掛着部または固定アームを固着した部位との間に、双方間の距離を所定範囲内で調節可能とする伸縮自在な長さ調節機構を設けた構造とするのが望ましい。
【００１３】
固定掛着部は、回収袋開口部の吊下用環部の一方を固定的に掛着する機能を果たすものであって、籾殻を最大に充填した回収袋の吊下用環部を、充分な強度で掛着、保持する構造としなければならず、吊下用環部の脱着が容易な鈎形、開閉可能な環形、あるいは上方を向けた棒形等何れの形状を選択するこも可能であり、例えば水平状または先端側をやや上方に傾けて固着した棒状とし、その棒状先端を鈎型に折曲した固定アームとすることが可能である。
【００１４】
拡開掛着部は、回収袋開口部の吊下用環部の中、固定掛着部または固定アームに掛着されなかった他方の吊下用環部を掛着すると共に、その掛着部分を先の固定掛着部または固定アームから遠ざかる方向に移動可能に保持するという機能を果たすものであって、籾殻を最大に充填した回収袋の吊下用環部を、充分な強度で掛着、保持する上、回収袋の開口部を常に拡開方向に付勢する構造としなければならず、例えば、上部水平杆の一端側および他端側の夫々に、該上部水平杆に沿ってスライド移動自在な拡開用掛着駒を設け、該拡開用掛着駒が、上部水平杆の一端および他端の夫々の先端側に連結されたコイルスプリングに連結され、該拡開用掛着駒が常にコイルスプリングによって牽引され、固定掛着部または固定アームから遠ざかる方向に付勢された構造とすることができる外、先端側に掛着鈎を形成した拡開アームの基端側中途部に弾性付勢機構を設けて、固定掛着部または固定アームから遠ざかる方向に付勢された構造とすることができる。
【００１５】
弾性付勢機構は、拡開掛着部または拡開アームを、固定掛着部または固定アームから遠ざかる方向に向けて弾性的に付勢する機能を果たすものであり、籾殻を最大に充填した回収袋を掛着したときにも、付勢力を失わない程度の充分な強度を有するものとしなければならず、また、回収袋を破損せず、人手によって容易に操作可能な程度の不勢力を発揮するものに抑えるべきであり、隣接配置された一対の拡開アームの各基端側中途部間をコイルスプリングで連結し、互いに引き合うよう牽引する構造とすることができる。
【００１６】
湾曲状案内枠部は、弾性付勢機構の伸縮形状を案内すると共に、拡開アームの基端側中途部に当接し、該拡開アームの拡開方向の移動範囲を制限する機能を果たすものであり、例えば、一対の拡開アーム間に掛け渡し状に連結されたコイルスプリングの外周壁面に沿って適度に湾曲された樋または筒状に形成し、その両端が、拡開アーム基端側中途部に当接するよう構成されたものとすることができる。
【００１７】
下部脚柱は、自立スタンド体の下側部を形成するものであり、筒状胴部および自立スタンド体の上部を形成する上部水平杆を不用意に転倒しないよう安定状態に自立させる機能を果たすものであって、上部水平杆に対して強固に一体化して充分な強度で支持できる支持構造に形成しなければならず、分解組立て可能な複数の骨格材部を組み合わせた構造とすることができ、その何れかの接続部が、自立スタンド体上部水平杆および筒状胴部の支持高さ位置を、適宜変更可能とする高さ調節機構を形成する構造とすることができる。
【００１８】
回収袋は、吐出用筒部から放出される籾殻を収容する機能を果たし、上部に吐出用筒部を挿入可能な開口部を形成すると共に、その開口部の周縁部付近には、固定掛着部、拡開掛着部または固定アーム、拡開アームに掛着し、袋全体を吊下状に保持可能とする一対の吊下用環部を形成した構造としなければならず、袋全体を、収容した籾殻が漏出しない生地、樹脂ネット、樹脂シート等から形成すべきであって、一部または全体が、籾殻と共に進入してくる空気を外部に放出可能な程度の通気性をもつ素材から形成されたものとするのが望ましく、該吊下用環部は、籾殻を収容した際の荷重に充分に耐える強度をもつ環状縁部を形成する機能を果たし、袋開口部の適所に、金属製または強化樹脂製のリングを補強布を介して一体化したものとするのが望ましいが、補強布に穿孔された孔の開口縁を、耐久性に秀れる糸を用いて補強した構造とすることもできる。
以下では、図面に示すこの発明を代表する実施例と共に、その構造について詳述することとする。
【００１９】
【実施例１】
図１の籾殻回収装置を分解した状態の斜視図、図２の自立スタンド体組立て構造の斜視図、図３の拡開アーム取付け構造の斜視図、図４の筒状胴部組立て構造の斜視図、図５の籾殻回収装置の正面図、および図６の使用中の籾殻回収装置の正面図に示される事例は、吐出用筒部を四本となし、下側に向けて拡開状となるよう配置し、一度に合計四個の回収袋を装着可能な構造とした事例によるものであって、この発明の基本的構成による籾殻回収装置の代表的な一実施例を示している。
【００２０】
当該籾殻回収装置１は、筒状胴部２を自立スタンド体３によって略水平状に所定高さ位置に支持するよう形成されたものであり、籾摺り機の籾殻排出管路に該筒状胴部２の一端を連結し、筒状胴部２の一方端から他方端側に向けて、籾殻を含む排風が通過するよう接続することができるよう、各部の寸法、形状が設定されており、筒状胴部２は、籾摺り機の籾殻排出管路を接続可能な端部を有して、一方から他方へ向けて排風を通過可能に形成し、内部に形成された筒状管路の略中央位置に相当する中途部には、図４中に鎖線で示すように、送風方向に向けて下向きに傾斜された選別網２１が設けられ、該選別網２１の鉛直下側には、略鉛直な短筒状に形成され、側壁面適所に透明パネルを装着した覗き窓２３を形成した下方開口部２２が形成されており、同下方開口部２２の排風方向前後外壁面の適所には、夫々自立スタンド体３を連結する連結用座金部２４，２４が設けられている。
【００２１】
当該下方開口部２２は、下方に向かうほど拡開するように夫々の向きを設定された筒形装着部が四本形成されており、該筒形装着部の夫々には、所定長に設定された矩形筒状の吐出用筒部２５，２５，……が装着され、夫々螺子止めして一体的に組み合わせたものとし、該吐出用筒部２５，２５，……の夫々には、その管路幅に渡ってスリットを形成し、該スリットに対して先端縁に係合爪部、後端縁に操作片部を夫々形成した平板状のシャッター板２６，２６，……を挿脱自在に装着したものとしている。
【００２２】
自立スタンド体３は、上部水平杆４と下部脚柱５とを組み合わせたものであり、上部水平杆４は、所定長の四角管状に形成した上部の、前記筒状胴部２下方開口部２２に設けられた連結用座金部２４，２４の夫々に対応する箇所に、螺子止め用の連結用舌片部４２，４２を形成した基杆部４１を設け、当該基杆部４１中央下部には、該基杆部４１の軸心方向に略直交する水平方向に向けて、基杆部４１を跨ぐようにようにして、二本ずつが平行となるよう、合計四本の固定アーム６，６，……が螺子結合されたものとなっている。また、基杆部４１両端の夫々には、先端側に略Ｌ型に形成した一対の拡開アーム７，７を、略水平面上を垂直軸回りに回動自在な状態に軸着し、対をなす拡開アーム７，７の基端側中途部同士をコイルスプリング７１で連結すると共に、該コイルスプリング７１に当接状となって案内する樋状の湾曲状案内枠部４４を固着した伸縮杆部４３，４３を装着し、適宜位置で螺子止め固定できる構造としている。
【００２３】
固定アーム６，６および拡開アーム７，７の各先端部は、図６中に示されるように、回収袋８の開口縁部に設けられた吊下用環部８１，８１を容易に掛着および脱抜可能とするよう鈎型に折曲したものとしている。そして、上部水平杆４の固定アーム６，６，……を挟んで所定間隔を隔てた適所には、夫々下部脚柱５の骨格杆５１，５１の上端を差込み装着可能な筒状装着部４５，４５を形成したものとなっている。
【００２４】
下部脚柱５は、骨格材を平面Ｈ型に組合せ一体とした設置用骨格部５４の略中央付近適所に、筒状に形成された一対の脚柱部５２，５２を立設し、該脚柱部５２，５２の夫々の上方から、同一の長さに設定した棒状の骨格杆５１，５１を夫々装着し、適宜高さに調節して螺子固定することができるものとし、該骨格杆５１，５１および脚柱部５２，５２間の夫々に、高さ調節機構５３を構成したものとなっている。
【００２５】
【作用】
以上のとおりの構成からなるこの発明の籾殻回収装置１は、下部脚柱部５および上部水平杆４の各部を蝶螺子を用いて組み合わせ、自立スタンド体３を組立てると共に、上部水平杆４上中央付近に筒状胴部２下方開口部２２が位置するよう配置させ、連結用座金部２４，２４と連結用舌片部４２，４２とを重ね蝶螺子で一体的に連結することで、上部水平杆４と筒状胴部２とが平行状に配置する籾殻回収装置１が自立した状態に設置される。
【００２６】
筒状胴部２の一方端には、籾摺り機の排風管を接続し、他端側には排風を適宜放出可能とする排出管を接続することが可能な外、排風を下向き放出できる案内翼を設けることができ、下方開口部２２には、上部水平杆４を跨ぎ、下方に向けて拡開する状態となるよう四本の吐出用筒部２５，２５を接続し、図６中に示すように回収袋８開口部の一方の吊下用環部８１を固定アーム６に掛着し、伸縮杆部４３を最適の位置に伸縮調節して螺子止め固定し、他方の吊下用環部８１を拡開アーム７に掛着させ、四本の吐出用筒部２５，２５，……の夫々が、対応する四個の回収袋８，８，……の各開口部内に開口する状態に設置する。
【００２７】
この際、図示していない籾摺り機の排風管と略同じ高さに、筒状胴部２を支持すると共に、回収袋８，８，……の底部が接地した状態となるよう下部脚柱５の高さ調節機構５３，５３を適宜調節するとよい。また、図３に示すように、コイルスプリング７１によって連結された一対の拡開アーム７，７は、互いに閉じ合わせられる方向に付勢されており、固定アーム６との間で回収袋８の開口部を弛ませないよう常に弾性的に伸張させる力が加わり、回収袋８を取り外せば、拡開アーム７がコイルスプリング７１によって引き戻され、コイルスプリング７１の形状を案内支持している湾曲状案内枠部４４の端部に当接して、不要な回転を制限されるものとなっている。
【００２８】
設置を完了した籾殻回収装置１は、図６中の白抜き矢印で示されるように、籾摺り機から籾殻を含む排風が送風されると、筒状胴部２の途中で、選別網２１を通過した排風が籾殻を選別分離され、筒状胴部２の他方から鎖線矢印で示されるように放出され、分離された籾殻のみが破線矢印および実線矢印で示されるよう、下方開口部２２、吐出用筒部２５，２５，……を通じて各回収袋８，８，……に落下、回収されることとなる。次第に籾殻で満たされる回収袋８，８，……は、開口部が楕円形状に変形し、コイルスプリング７１の付勢に抗して拡開アーム７を固定アーム６側に引き付けるような力を発生する。そして、拡開アーム７が回収袋８の変形に追従するように支持位置を変えるので、回収袋８は弛みや皺をつくらずに、充分な量の籾殻を収容することとなる。また、回収袋８のサイズは、拡開アーム７の揺動範囲内で対応可能であり、異なるサイズであっても支障なく使用可能となる。
【００２９】
回収袋８が籾殻で満たされたときには、その箇所の吐出用筒部２５のスリットにシャッター板２６を装着して吐出用筒部２５を閉鎖し、籾殻の放出を停止させた上で、固定アーム６および拡開アーム７から各吊下用管環部８１，８１を外して運びだし、新たに空の回収袋８を固定アーム６、拡開アーム７間に掛着し、スリットからシャッター板２６を抜き外して、吐出用筒部２５から籾殻の放出を再開する。スリットから抜き出されたシャッター板２６は、先端側の係合爪部がスリット縁部に係合するので、脱落することなく垂下、保持される。また、筒状胴部２下方開口部２２の覗き窓２３からは、筒状胴部２内の籾殻を監視することが可能であり、万が一籾殻の放出が滞り、滞留するようなことがあれば、吐出用筒部２５の放出口から、掻き出す等して停滞を取り除くことが可能である。
【００３０】
【効果】
以上のとおり、この発明の籾殻回収装置によれば、回収袋の開口部が常時最適な張り具合で、牽引されており、籾殻が満たされるに従って開口部が広げられる状態に保持されるので、常に弛みなく保持され、満杯の状態まで籾殻の漏出を生じることなく確実に保持され、従前までのように回収袋が弛んだり、開口部の引張状態が強すぎたりすることを解消し、籾殻の漏出や満杯に収容できないといった問題の発生を防止することができると共に、一枚の回収袋当たりに収容できる籾殻の容量を格段に増加させることができ、回収袋の交換作業の頻度を低減する上、必要な回収袋の枚数も減少させることができるので、大幅に作業効率を高めることができ、経済性に秀れた籾殻回収を実現可能にするという大きな特徴を発揮するものとなる。
【００３１】
特に、実施例に説明した籾殻回収装置１は、上記した特徴に加え、筒状胴部２や自立スタンド体３を夫々主立った部品に分解可能であり、組み立ても蝶螺子で固定するだけなので、工場出荷の際の輸送や在庫管理に有利であり、更に収穫期に使用した後の分解、収納が容易であると共に、設置作業も簡便であって、下部脚柱５に設けられた高さ張設機構５３で、筒状胴部２５を最適の高さに設置でき、排風の放出抵抗を低減して効率の高い排気、および籾殻回収ができる。また、上部水平杆４の両端側に設けられた伸縮杆部４３，４３を夫々進退調節することによって回収袋８の開口寸法に応じて固定アーム６と拡開アーム７との配置間隔を最適に設定することができる上、拡開アーム７は、コイルスプリング７１によって弾性的に拡開方向へ付勢されているので、弛まず皺をつくらずに最適な状態に吊着、保持され、籾殻で満たされた回収袋８を取り外すときには、外拡開アーム７を固定アーム６側へ引き寄せるようにして取り外せば、吊下用環部８１を上方に引き上げなくとも容易に掛着を解くことができ、回収袋８交換の際の作業者への負担を軽減して、作業効率を格段に向上することができる。
【００３２】
叙述の如く、この発明の籾殻回収装置は、その新規な構成によって所期の目的を遍く達成可能とするものであり、しかも製造も容易で、分解組立て作業も簡便に行うことができる上、籾殻回収中の回収袋の交換作業を減少し、従前までの籾殻回収装置に比較して遥かに経済的なものとすることができ、作業効率自体も大幅に高めることができることから、費用の削減と回収作業の簡便化とを確実に達成可能にするものであり、籾摺り機から放出される籾殻の回収に苦慮する農家や農機具業界において高く評価され、広範に渡って利用、普及していくものと予想される。
【図面の簡単な説明】
図面は、この発明の籾殻回収装置の技術的思想を具現化した代表的な一実施例を示すものである。
【図１】      分解状態の籾殻回収装置の構造を示す斜視図である。
【図２】      自立スタンド体の組立て構造を示す斜視図である。
【図３】      拡開アームの支持構造を示す斜視図である。
【図４】      筒状胴部の組立て構造を示す斜視図である。
【図５】      籾殻回収装置の構造を示す正面図である。
【図６】      籾殻を回収する籾殻回収装置を示す正面図である。
【符号の説明】
１          籾殻回収装置
２          筒状胴部
２１        同  選別網
２２        同  下方開口部
２３        同  覗き窓
２４        同  連結用座金部
２５        同  吐出用筒部
２６        同  シャッター板
３          自立スタンド体
４          上部水平杆
４１        同  基杆部
４２        同  連結用舌片部
４３        同  伸縮杆部
４４        同  湾曲状案内枠部（弾性付勢機構）
４５        同  筒状装着部
５          下部脚柱
５１        同  骨格杆
５２        同  脚柱部
５３        同  高さ調節機構
５４        同  設置用骨格部
６        固定アーム（固定掛着部）
７        拡開アーム（拡開掛着部）
７１        同  コイルスプリング（弾性付勢機構）
８        回収袋
８１        同  吊下用環部
【図１】
0003696483.tif 000002
【図２】
0003696483.tif 000003
【図３】
0003696483.tif 000004
【図４】
0003696483.tif 000005
【図５】
0003696483.tif 000006
【図６】
0003696483.tif 000007